(57)【特許請求の範囲】
【請求項１】
吸収性衛生用品を生産するためのプラントに沿って供給する少なくとも一つの連続的なウェブを折り畳むための装置であって、前記連続的なウェブが、その少なくとも一つの側方部（２０，２２）が前記ウェブ（２）自体の中央部上へと横方向に折り畳まれるよう、前記連続的なウェブ（２）の供給方向（Ｆ）に対して平行な少なくとも一つの長手方向折り畳み線（２０’，２２’）に沿って折り畳まれるよう設計されており、
前記装置が、前記ウェブ（２）と平行に向いている供給方向（Ｆ）に沿って連続的なウェブ（２）を供給するための供給手段（３）と、前記ウェブ（２）を折り畳むための逸らし面（２４，２４’）を有する少なくとも一つの逸らし要素（１９，２１）と、を備え、
前記逸らし要素（１９，２１）の前記逸らし面（２４，２４’）は、前記逸らし面（２４，２４’）に対して接線方向にそれぞれの加圧空気ジェットを放出するように設計されて前記逸らし面と前記ウェブ（２）との間に層流流体層を形成する複数の孔（２９）を有する折り畳み装置。
【請求項２】
請求項１に記載の折り畳み装置において、前記加圧空気ジェットは、前記ウェブ（２）の前記供給方向（Ｆ）に対して横方向に向けられており、前記ウェブ（２）に対して横方向に向けられた層流流体層を形成する、折り畳み装置。
【請求項３】
請求項１または２に記載の折り畳み装置において、前記加圧空気ジェットは、前記逸らし面（２４，２４’）に沿って連続し、前記少なくとも一つの側方部（２０，２２）が前記逸らし面（２４，２４’）によって前記ウェブ（２）上に横方向に折り畳まれる前記方向と同じ方向に流れる、折り畳み装置。
【請求項４】
請求項１〜３のいずれか１項に記載の折り畳み装置において、前記逸らし面（２４，２４’）は、前記少なくとも一つの側方部（２０，２２）に対して連続的にかつ漸進的に作用して、前記少なくとも一つの側方部（２０，２２）を前記ウェブ（２）の他の部分に向かって折り畳むよう、前記ウェブ（２）の前記供給方向（Ｆ）に延びる螺旋状の外形を有する、折り畳み装置。
【請求項５】
請求項１〜４のいずれか１項に記載の折り畳み装置において、前記ウェブ（２）のそれぞれの側方部（２０，２２）に対して作用するよう設計された少なくとも二つの逸らし要素（１９，２１）を備える折り畳み装置。
【請求項６】
請求項１〜５のいずれか１項に記載の折り畳み装置において、前記少なくとも二つの逸らし要素（１９，２１）は、前記ウェブ（２）の対向側部において、前記ウェブ（２）の前記供給方向に一つずつずらして配置されている、折り畳み装置。
【請求項７】
請求項１〜６のいずれか１項に記載の折り畳み装置において、それぞれの逸らし要素（１９，２１）は、前記ウェブ（２）を折り畳むための前記それぞれの逸らし面（２４，２４’）の連続性を維持するよう連続して配置される少なくとも二つの離れた部分（１９’，１９”；２１’，２１”）に分割されている、折り畳み装置。
【請求項８】
請求項１〜７のいずれか１項に記載の折り畳み装置において、それぞれの逸らし要素（１９，２１）は、前記逸らし面（２４，２４’）の前記複数の孔（２９）と連通するキャビティ（３１）を有しており、前記キャビティ（３１）は圧縮空気源（３０）と連通している、折り畳み装置。
【請求項９】
請求項１〜７のいずれか１項に記載の折り畳み装置において、それぞれの逸らし要素（１９，２１）を複数のチャネル（３２）が貫通しており、それぞれのチャネル（３２）の一端がそれぞれの該逸らし面（２４，２４’）の前記複数の孔（２９）の一つと対応しており、他端が圧縮空気源（３０）と連結される内部が中空のマニホルド要素（３４）と管状要素（３３）によって接続されている、折り畳み装置。
【請求項１０】
請求項１〜９のいずれか１項に記載の折り畳み装置において、それぞれの逸らし面（２４，２４’）の前記複数の孔（２９）のそれぞれは、前記ウェブ（２）の前記供給方向に対して横方向に延びている端部区域を含む、折り畳み装置。
【請求項１１】
請求項１〜１０のいずれか１項に記載の折り畳み装置において、前記複数の孔（２９）は、前記逸らし面（２４，２４’）の自由端に近接した区域のみに配置されている、折り畳み装置。
【請求項１２】
請求項１〜１１のいずれか１項に記載の折り畳み装置において、
前記ウェブ（２）の前記横方向の折り畳みの整合を確認するために用いられるとともに、前記ウェブ（２）の前記供給方向（Ｆ）において少なくとも一つの逸らし要素（１９，２１）の下流側区域に配置される検査装置（２５）と、
前記検査装置（２５）によって得られた測定結果を示す電気信号を処理するよう配置されるユニット（２６）と、
を備える折り畳み装置。
【請求項１３】
請求項１〜１２のいずれか１項に記載の折り畳み装置であって、それぞれの前記逸らし要素（１９，２１）によるその横方向の折り畳みの間に、前記ウェブ（２）が搬送手段（３）によって搬送され、前記長手方向折り畳み線（２０’，２２’）と接触するよう設計された接触手段（１５，１６）を備える折り畳み装置。
【発明の詳細な説明】
【技術分野】
【０００１】
本発明は、吸収性衛生用品を生産するためのプラントに沿って供給する少なくとも一つのウェブを折り畳むための装置に関する。
【０００２】
より詳細には、本発明は、製造中にペアとして互いに連結された一連の使い捨ておむつ(disposable nappies)を備える少なくとも一つのウェブを折り畳むために用いることができる折り畳み装置に関する。
【背景技術】
【０００３】
おむつの生産中に、一つのウェブまたは互いに重ね合わされた二つ以上のウェブを長手方向に連続動作で供給し、例えば、シート材の一部を取り外す、または例えば弾性材や閉じるためのタブ等の付属要素を付ける動作からなるプロセスを実行することが一般的に実施されている。
【０００４】
この説明においては、簡単化のために、一つのウェブの折り畳みを説明する。
【０００５】
特に、ウェブを処理する工程の完了に向かって、個々のおむつを分離する工程の前に、ウェブをその両側部で横方向に折り畳むことが通例実施されている。
【０００６】
この動作は、スパイラル状すなわち螺旋状の外形を有する特定の固定側方ガイドと接触してウェブを摺動させることにより実行されることが普通であり、ウェブの側部を互いに向かって次第に折り畳み、通常一方を他方の上に重ねる。
【０００７】
折り畳みの整合は、特にウェブが大きい横方向寸法を有し、高速で前方へ移動する場合、必ずしも満足できるものではない。
【０００８】
実際に、多くの場合、ウェブと側方ガイドとの間で生じる摩擦によって、ウェブの側方部の皺および不正確な位置決めを引き起こすだけでなく、一様な直線でなく、かつウェブの供給方向とは平行ではない折り畳み線に沿った後者の折り畳みの原因ともなる。
【０００９】
また、従来技術の装置においては、ウェブの側方部の折り畳みは、略同時に行われ、その結果、側部の一方が他方に高速で重ねられる。
【００１０】
これは全て、これらの装置に、ウェブの側部が整合的なやり方で折り畳まれたか否か、そして真っ直ぐに正確に位置決めされた折り畳み線に従って第二側部が第一側部に正確に重ねられたか否かを確認（チェック）可能な検査装置を設置することにより、防止される。
【００１１】
さらに、例えば弾性材や閉じるためのタブ等の付属要素をウェブに付けることは、ウェブの側方区域をウェブの他区域よりも重くさせる。このことは、二つの縁部を折り畳む工程の間、その重量によって折り畳みが早く開始されすぎる傾向があり、その結果、与えられた線に沿って不整合に折り畳まれてしまうことを意味する。
【発明の概要】
【発明が解決しようとする課題】
【００１２】
本発明の目的は、上述した欠点を克服する吸収性衛生用品を生産するためのプラントに沿って供給する少なくとも一つのウェブを折り畳むための装置を提供することにある。
【課題を解決するための手段】
【００１３】
この目的は、添付した特許請求の範囲の請求項のうちの一つ以上に記載した特徴を有する少なくとも一つのウェブを折り畳むための装置によって、より詳細には、ウェブと平行に向いている供給方向に沿って連続的なウェブを供給するための供給手段と、ウェブを折り畳むための逸らし面を有する少なくとも一つの逸らし要素と、を備える折り畳み装置によって達成される。
【００１４】
装置は、ウェブの少なくとも一方の側方部のウェブの中央部上への横方向の折り畳みを開始するために、連続的なウェブの供給方向に対して平行な少なくとも一つの長手方向折り畳み線に沿ってウェブを折り畳むよう構成されている。
【００１５】
本発明の一の面では、逸らし要素の逸らし面は、逸らし面に対して接線方向にそれぞれの加圧空気ジェットを放出するように設計され、逸らし面とウェブとの間に層流流体層(laminar fluid bed)を形成する複数の孔を有する。
【発明の効果】
【００１６】
このように、添付した特許請求の範囲のうちの一以上の請求項に記載した本発明により、吸収性衛生用品を生産するためのプラントに沿って供給する少なくとも一つのウェブを折り畳むための装置が提供される。
【図面の簡単な説明】
【００１７】
本発明を、本発明を限定するものではない二つの好ましい実施形態を示す添付図面を参照して以下に説明する。
【００１８】
図１および図２はそれぞれ、本発明に基づいて形成された折り畳み装置が設置された吸収性衛生用品を生産するためのプラントの一部の正面図および平面図を概略的に示す。
【００１９】
図３は、図１および図２の折り畳み装置の一部の概略的な斜視図である。
【００２０】
図４および図５は、それぞれ異なる実施形態の、図１〜図３の折り畳み装置の細部を概略的に断面で示す。
【００２１】
図６は、図１〜図５の装置によって実行される二回の横方向の折り畳み工程後に得られたウェブの斜視図である。
【００２２】
図７および図８は、図６のウェブを横方向に切断することにより得られる二つの異なる吸収性衛生用品を示す。
【００２３】
図９は、図２の折り畳み装置のさらなる実施形態の概略的な平面図である。
【発明を実施するための形態】
【００２４】
図１および図２に示す通り、参照符号１は、図面を通じて、長手方向移動によって供給される少なくとも一つの連続的なウェブ２を横方向に折り畳むことができる折り畳み装置を示している。
【００２５】
以下に、特に記載しない限り、「ウェブ２」という表現は、連続的なウェブ（巻取り）状の材料を表すのに用いられる。
【００２６】
より具体的には、以下に続く本説明によってより明らかになるように、ウェブ２は、それぞれ２０’，２２’で示す二つの長手方向折り畳み線に沿って折り畳まれるよう設計されている。
【００２７】
二つの折り畳み線によって、それぞれ２０，２２で示すウェブの二つの側方部が形成される。第一の側方部はウェブ２上へと折り畳まれるよう設計されている。第二の側方部は、ウェブと先に折り畳まれた部分２０との両方の上に折り畳まれるよう設計されている。
【００２８】
装置１は、それぞれの部分を図１および図２に概略的に示す吸収性衛生用品を生成するプラントに設置される。プラントは、一つのウェブを、または互いに重ねられ通常互いに接続された複数のウェブを処理することができる。ただ、本説明では、簡単化のために、単一のウェブの処理を説明する。
【００２９】
図示しないプラントの動作ステーションから引き出されるウェブ２が、その延設方向に沿ってウェブを移動させるよう構成される特定の供給手段３によって、連続的な移動で供給される。
【００３０】
好ましくは、ウェブ２は引き出し始めには、略水平に延設される図面を通じて参照符号３で示すベルト搬送手段の上方の水平面にある。
【００３１】
ベルト搬送手段３は、水平に配置される上部移送区画（ブランチ）５を有する第一搬送（コンベヤ）ベルト４を備える。上部移送区画５は、ウェブ２を区画５と密着した状態に保持するよう、図示しない吸引源に既知の方法で連結されている。
【００３２】
搬送ベルト４は、互いに平行であるそれぞれの水平軸回りに回転可能である複数のプーリ６に巻き付けられる。複数のプーリのうちの一つはモータで駆動される。プーリ６を同軸状に支持するシャフトが、鉛直壁７に支持される。鉛直壁７は、シャフトと折り畳み装置１を支持するための基礎の構成部品とに対して垂直である。基礎の構成部品は、上部移送区画５の水平方向延設部および供給方向Ｆと平行に延設される。上部移送区画５の供給方向Ｆは、ウェブ２の供給方向と略一致する。
【００３３】
ベルト搬送手段３は、第一搬送ベルト４の送出端部に隣接した送入端部を有する第二搬送ベルト９を備える。第二搬送ベルト９は、搬送ベルト４に隣接した第二搬送ベルト９の送入端部から延びており、水平方向に対して少し下方へと傾斜している上部移送区画１０を有する。
【００３４】
搬送ベルト９は、互いに平行であるそれぞれの水平軸回りに回転可能である複数のプーリ１１に巻き付けられる。複数のプーリのうちの一つはモータで駆動される。プーリ１１を同軸状に支持するシャフトもまた、シャフトに対して垂直である上述の壁７に支持される。
【００３５】
図２に示す通り、搬送ベルト９の幅は搬送ベルト４の幅未満である。搬送ベルト９の側方縁部は、壁７に近接して配置される搬送ベルト４の側方縁部の鉛直面に位置する。
【００３６】
また、ベルト搬送手段３は、第二搬送ベルト９の送出端部に隣接した送入端部を有する第三搬送ベルト１２を備える。第三搬送ベルト１２は、搬送ベルト９に隣接した第三搬送ベルト１２の送入端部から延びており、水平方向に対して少し上方へと傾斜している上部移送区画１４を有する。搬送ベルト１２は、互いに平行であるそれぞれの水平軸回りに回転可能である複数のプーリ１３に巻き付けられる。複数のプーリのうちの一つはモータで駆動される。プーリ１３を同軸状に支持するシャフトもまた、シャフトに対して垂直である上述の壁７に支持される。
【００３７】
必要に応じて、搬送ベルト９の上部移送区画１０および搬送ベルト１２の上部移送区画１４を、ウェブ２をそれらの移送面と密着した状態に維持するよう、図示しない吸引手段に、必要に応じて部分的にのみ、既知の方法で連結することができる。
【００３８】
図２に示す通り、搬送ベルト１２の幅は搬送ベルト９の幅未満である。搬送ベルト１２の側方縁部は、これと並んでいる搬送ベルト９の側方縁部の、先の側方縁部とは異なり壁７から離れて配置される鉛直面に位置する。特に図２に示す通り、搬送ベルト９の送出部および搬送ベルト１２の送入部は、接触手段と重なっている。
【００３９】
接触手段は、水平軸回りに回転可能であり壁７に垂直であるローラ１５を備える。ローラ１５の外周面は円筒状である。ローラ１５は、搬送ベルト９，１２の移送区画１０，１４の面に近接して配置されている。同様に、搬送ベルト１２の中央部は、水平軸回りに回転可能であり壁７に垂直であるローラ１６を備える接触手段と重なっている。ローラ１６の外周面は円筒状である。ローラ１６は、搬送ベルト１２の移送区画１４に近接して配置されている。
【００４０】
二つの接触ローラ１５，１６の円形自由端は、ウェブ２の長手方向折り畳み線２０’，２２’に沿って並んで配置される。
【００４１】
このようにして、上述の円形端により、接触要素が二つの所定の長手方向折り畳み線２０’，２２’で折り畳むことが可能であることは理解されよう。
【００４２】
二つのローラ１５，１６を通じて得られる接触により、二つの長手方向折り畳み線２０’，２２’に作用する連続的かつ漸進的な接触が保証される。
【００４３】
第三搬送ベルト１２の送出端部には、十分に互いに接触し、壁７に対して垂直なそれぞれの水平軸回りに回転可能である二つのカウンタ回転ローラ１８が配置される。カウンタ回転ローラ１８は、二つのローラ１８間で摺動するウェブ２を引っ張り・供給する手段を形成している。
【００４４】
搬送ベルト９の送入部には、移送区画１０の高さ（レベル）の直上に、第一逸らし要素１９が配置されている。第一逸らし要素１９は、ウェブ２の側方部２０に作用して、ウェブ２の側方部２０をウェブ２の他の部分の上方で、つまりウェブの中央部の上方で、横方向に折り畳むよう設計されている。より正確には、第一逸らし要素１９は、壁７から最も離れたウェブ２の側方部２０に作用するよう設計されている。
【００４５】
同様に、搬送ベルト１２の略中央区域には、移送区画１４の高さの直上に、第二逸らし要素２１が配置されている。第二逸らし要素２１は、壁７に近接して配置されるウェブ２の側方部２２に作用して、ウェブ２の側方部２０をウェブ２の他の部分の上方で横方向に折り畳むよう設計されている。
【００４６】
なお、コンベヤ９，１２の上部移送区画１０，１４の配置は、上部移送区画１０，１４と接触する通過区域におけるウェブ２の張力を低減するよう選択され、この状態により、逸らし要素１９，２１の作用下でウェブ２の上述の折り畳みが行われやすくなることを記載しておく。
【００４７】
二つの逸らし要素１９，２１は、ウェブ２の供給方向において連続して配置される。二つの逸らし要素１９，２１は、それらの目的がウェブ２の異なるそれぞれの側方部２０，２２を折り畳むことであることを除いて同じように構成されている。
【００４８】
したがって、第二逸らし要素２１の構造のみを詳細に図３に示して以下に説明する。第一逸らし要素１９の構成要素は、逸らし要素２１の構成要素の参照符号と同じ参照符号であるがダッシュ（上付き文字）を付して示している。
【００４９】
逸らし要素２１は基本的に、ウェブ２を折り畳むための逸らし面２４を有する長手体（ボディ）２３を備える。逸らし面２４に沿って、壁７に最も近接したウェブ２の上述の側方部２２が、以下により詳細に説明する通り摺動する。
【００５０】
逸らし面２４は、側方部２２に途切れることなく漸進的に作用するようウェブ２の供給方向Ｆに延びる螺旋状の外形を有する。
【００５１】
逸らし面２４は、その最も極端な形状では螺旋形状の外形を有することもできる。
【００５２】
言い換えれば、逸らし面２４は、ウェブ２の上述の部分２２をまず下方から向きを変え、部分２２を次第に上方にかつ壁７から離れる方向に折り畳み、そして、部分２２を、方向Ｆと平行な長手方向折り畳み線に沿ってウェブ２の他の部分の一部の上方で折り畳む。
【００５３】
ウェブ２の側方部２０を折り畳む工程の間、第一逸らし要素１９は、逸らし要素２１に関してここに説明したのと同様に、その逸らし面２４’でウェブ２の側方部２０と係合し、方向Ｆと平行な長手方向折り畳み線に沿ってウェブ２の他の部分の上方で側方部２０を横方向に折り畳むよう、ウェブ２に作用するよう設計されている。同時に、接触ローラ１５が、長手方向折り畳み線２０’に連続的に接触し、部分２０を線２０’に沿って正確に折り畳むことができる。
【００５４】
上述したように、ウェブ２が逸らし要素２１と係合し、その側方部２２が、先に折り畳まれた側方部２０の上方で、少なくとも部分的に、折り畳まれる。
【００５５】
また、この次の折り畳み工程において、接触ローラ１６が、ローラ１５に関して説明したのと同様に、長手方向折り畳み線２２’に連続的に接触し、部分２２を線２２’に沿って正確に折り畳むことができ、それ自体を部分２０の上方とウェブ２の上方との両方で正確に位置決めすることができる。
【００５６】
図２、図３および図６に示す通り、逸らし面２４，２４’と接触したウェブ２が方向Ｆに沿って供給されると、上述の折り畳みが形成されて完成し、完全に折り畳まれたウェブ２は、搬送ベルト１２の上部移送区画１４に載置される。折り畳まれたウェブ２は、上部移送区画１４の幅と略等しい。
【００５７】
記載したように折り畳まれたウェブ２は、第一直線折り畳み線に沿って、その後第二直線折り畳み線に沿って、上述した二つのカウンタ回転ローラ１８間を通過し、そして、図示しないさらなる処理ステーションに向かって供給される。
【００５８】
好ましくは、逸らし要素１９によって第一の折り畳みを受けたウェブ２の形状を確認するための検査装置２５を、方向Ｆにおいて逸らし要素１９の直ぐ下流側に配置することができる（図１）。検査装置２５の測定結果を示す電気信号を、概略的にブロック２６として示す既知のタイプの処理ユニットに送信することができる。また、処理ユニット２８と連結された同様の検査装置２７を、完全に折り畳まれたウェブ２の形状の整合を確認するよう、方向Ｆにおいて逸らし要素２１の下流側に配置することができる。
【００５９】
図３〜図５に示す通り、逸らし要素１９，２１の逸らし面２４，２４’は、圧縮空気源３０に接続される複数の孔２９を有する。
【００６０】
孔２９は、空気の小さい増幅器を形成し、加圧空気ジェットを生成することができるノズルを構成する。
【００６１】
より具体的には、図４に示す逸らし要素１９，２１の第一実施形態において、逸らし要素１９，２１は、ウェブ２との接触状態に入るよう設計されている逸らし要素１９，２１の部分の範囲を定める逸らし面２４，２４’上に配置されたすべての孔２９と連通するキャビティ３１を有する。
【００６２】
キャビティ３１は、上述の圧縮空気源３０と直接連通している。
【００６３】
図５に示す逸らし要素１９，２１の第二実施形態において、逸らし要素１９，２１は中実である、つまり、内部キャビティがなく、複数のチャネル３２が貫通している。それぞれのチャネル３２の一端が上述の孔２９の一つと対応しており、他端が上述の圧縮空気源３０と連通する、内部が中空のマニホルド要素３４と、管状要素３３によって接続されている。
【００６４】
それぞれの逸らし面２４，２４’の孔２９の端部区域は、逸らし面２４，２４’に対してそれぞれ接線方向に延びている。
【００６５】
孔２９から出て来る加圧空気の複数のジェットにより、上述の逸らし面２４，２４’とその逸らし面の下方を移動するウェブ２との間に、層流流体層が形成される。
【００６６】
好ましい実施形態では、それぞれの逸らし面２４，２４’の上述の孔２９の端部区域は、ウェブ２の供給方向Ｆに対して横方向であるそれぞれの方向に延びている。
【００６７】
説明した逸らし要素１９，２１およびそれぞれの孔２９の形状と、その結果として逸らし面とウェブ２との間に形成される層流流体層の生成とによって、逸らし面２４，２４’の近くでウェブ２が非常に低い摩擦で摺動することができる。
【００６８】
孔２９を通じて放出された空気は、非常に少量でかつ気圧に対して非常に小さい加圧であっても、コアンダ効果によりベルヌーイの原理に従って、横方向の折り畳みの間にウェブ２を逸らし面２４，２４’に引きつける傾向がある。この引きつけ力は、孔２９から出て来てウェブ２と逸らし面２４，２４’との間にある上述の層流流体層を形成する空気の薄い層が、ウェブ２と接触して通過する速度が比較的高い結果として、ウェブ２の表面が受ける気圧未満の圧力となることに起因する。言い換えれば、複数の孔２９、および逸らし面２４，２４’上に接線方向に噴射される空気の関連するジェットが、孔２９から出て来る相対的に少量の圧縮空気とともに逸らし面を取り巻く領域の多量の空気を含む上述のコアンダ効果を利用することにより、当該全体の面に沿って空気の層流フローを生成する。
【００６９】
ウェブ２の側方部の折り畳みの整合は、逸らし面２４，２４’によって与えられるこの引きつけ力によって保証される。実際、それぞれの瞬間においては逸らし面２４，２４’の空気のブレード(blade)に接触して通過するウェブ２の部分は、それ自体が重力によって離れることができず、下方へ落ちることができない。
【００７０】
したがって、引きつけ効果により、上述の追加要素を備え、このためウェブ２の他の部分よりも重いウェブの二つの部分２０，２２が、不整合な態様でウェブ２上へと落ちるのではなく、折り畳みの間に正確な位置に保持される。
【００７１】
さらに、ウェブ２の側方部２０，２２の折り畳みが逸らし要素１９，２１によって実質的に同時に実行されないことは、折り畳みの整合を確認するよう処理ユニット２６と連結された検査装置２５を用いることを可能にする。
【００７２】
最後に、図示の実施形態においては、単なる例示として、上述の孔２９は、逸らし面２４，２４’の外側区域にのみ形成される、すなわち、上述の付属要素が配置されたウェブ２の部分２０，２２が折り畳まれている場合に、孔が逸らし面の自由端に近接した区域に繋がっていることを記載しておく。
【００７３】
この実施形態においては、本方法にかかる層流流体層によってそして上述したコアンダおよびベルヌーイの物理的原理に関連して生成される引きつけ効果は、二つの部分２０，２２の最も重い区域のみに限定される。
【００７４】
この結果、折り畳み工程の間、ウェブ２の二つの側方部２０，２２の最も内側の部分は、それぞれの逸らし面２４，２４’に接触して摺動する。
【００７５】
その後、上述の通り折り畳まれたウェブ２は、周期的に横方向に切断されて、部分的に折り畳まれた吸収性衛生用品が生産される。
【００７６】
図７および図８は、ウェブ２を折り畳むために上述の動作を用いて得られる異なる形状の既知のタイプの横方向に折り畳まれた二つの吸収性衛生用品３５，３６をそれぞれ示す。
【００７７】
これらの吸収性衛生用品３５，３６には、折り畳み装置１の近傍に到達する前に図示しない方法でウェブ２に貼り付けられる例えば粘着性のストリップからなる既知のタイプの接続要素３７が連結される。
【００７８】
ウェブ２の上述の側方部２０，２２のうちの一方のみを折り畳むよう、上述の逸らし要素１９，２１のうちの一方のみを備えることが可能であろうことは明らかであり、折り畳み装置１自体を特徴付けそして特に利点を与えているものは、逸らし面２４，２４’に、気圧より大きい圧力で空気を放出するように設計された上述の孔２９が配置されていることであることは、理解されよう。
【００７９】
最後に、図９に示すそれぞれの逸らし要素１９，２１は、ウェブ（２）を折り畳むためのそれぞれの逸らし面２４，２４’の連続性を維持するよう一つずつ配置される、１９’，１９”，２１’，２１”で示した少なくとも二つの離れた部分に分割されている。
【図１】
0006712229.tif 000002
【図２】
0006712229.tif 000003
【図３】
0006712229.tif 000004
【図４】
0006712229.tif 000005
【図５】
0006712229.tif 000006
【図６】
0006712229.tif 000007
【図７】
0006712229.tif 000008
【図８】
0006712229.tif 000009
【図９】
0006712229.tif 000010